(57)【特許請求の範囲】
【請求項１】
画像表示手段と画像記憶手段を有し、ネットワークに接続可能な画像表示装置であって、
撮像手段により撮像した画像から顔画像を認識する認識手段と、
前記認識手段により認識すべき顔画像を登録する顔画像登録手段と、
メール送受信手段と、
前記画像記憶手段内に、前記認識手段で認識した顔画像に対応するフォルダを作成するフォルダ作成手段と、
前記メール送受信手段のアドレス帳にアドレスと前記認識すべき顔画像とを対応づけて登録するアドレス帳登録手段と、
前記アドレスと前記顔画像に対応するフォルダを対応づける対応づけ手段と、
画像を前記フォルダに格納する格納手段と、
前記フォルダに格納されている画像を再生する再生手段と、
を具備し、
前記格納手段は、
操作者が画像を前記画像記憶手段に記憶させる操作を行うとき、前記認識手段により該操作者の顔画像を認識し、当該操作者の顔画像に対応するフォルダに画像を格納する第１の格納手段と、
前記メール送受信手段によりメールで受信した画像を、前記アドレス帳を参照して、受信したアドレスと対応づけられているフォルダに格納する第２の格納手段とを含み、
前記再生手段は、
操作者が画像を表示させる操作を行うとき、前記認識手段により該操作者の顔画像を認識し、認識した顔画像に対応するフォルダに格納されている画像を再生可能とする表示制御手段を含む
ことを特徴とする画像表示装置。
【請求項２】
請求項１記載の画像表示装置であって、
複数種類のメモリ媒体を着脱可能であり、前記格納手段は、操作者が前記メモリ媒体から画像を記憶させる操作を行うとき、前記認識手段により該操作者の顔画像を認識し、当該操作者の顔画像に対応するフォルダに前記メモリ媒体から画像を格納する第３の格納手段を含み、
前記フォルダ作成手段は、前記メモリ媒体の種類に応じたサブフォルダを作成するサブフォルダ作成手段を含むことを特徴とする画像表示装置。
【請求項３】
画像表示手段、画像記憶手段、撮像手段を有し、ネットワークに接続可能な画像表示装置のコンピュータを、
前記撮像手段により撮像した画像から顔画像を認識する認識手段と、
前記認識手段により認識すべき顔画像を登録する顔画像登録手段と、
メール送受信手段と、
前記画像記憶手段内に、前記認識手段で認識した顔画像に対応するフォルダを作成するフォルダ作成手段と、
前記メール送受信手段のアドレス帳にアドレスと前記認識すべき顔画像とを対応づけて登録するアドレス帳登録手段と、
前記アドレスと前記顔画像に対応するフォルダを対応づける対応づけ手段と、
画像を前記フォルダに格納する格納手段と、
前記フォルダに格納されている画像を再生する再生手段と、
して機能させ、
前記格納手段は、
操作者が画像を前記画像記憶手段に記憶させる操作を行うとき、前記認識手段により該操作者の顔画像を認識し、当該操作者の顔画像に対応するフォルダに画像を格納する第１の格納手段と、
前記メール送受信手段によりメールで受信した画像を、前記アドレス帳を参照して、受信したアドレスと対応づけられているフォルダに格納する第２の格納手段とを含み、
前記再生手段は、
操作者が画像を表示させる操作を行うとき、前記認識手段により該操作者の顔画像を認識し、認識した顔画像に対応するフォルダに格納されている画像を再生可能とする表示制御手段を含む
ことを特徴とするプログラム。
【請求項４】
画像表示手段、画像記憶手段、撮像手段を有し、ネットワークに接続可能な画像表示装置のコンピュータが、
前記撮像手段により撮像した画像から顔画像を認識する認識ステップと、
前記認識ステップにより認識すべき顔画像を登録する顔画像登録ステップと、
メール送受信ステップと、
前記画像記憶手段内に、前記認識ステップで認識した顔画像に対応するフォルダを作成するフォルダ作成ステップと、
前記メール送受信ステップのアドレス帳にアドレスと前記認識すべき顔画像とを対応づけて登録するアドレス帳登録ステップと、
前記アドレスと前記顔画像に対応するフォルダを対応づける対応づけステップと、
画像を前記フォルダに格納する格納ステップと、
前記フォルダに格納されている画像を再生する再生ステップと、
を実行し、
前記格納ステップは、
操作者が画像を前記画像記憶手段に記憶させる操作を行うとき、前記認識ステップにより該操作者の顔画像を認識し、当該操作者の顔画像に対応するフォルダに画像を格納する第１の格納ステップと、
前記メール送受信ステップによりメールで受信した画像を、前記アドレス帳を参照して、受信したアドレスと対応づけられているフォルダに格納する第２の格納ステップとを含み、
前記再生ステップは、
操作者が画像を表示させる操作を行うとき、前記認識ステップにより該操作者の顔画像を認識し、認識した顔画像に対応するフォルダに格納されている画像を再生可能とする表示制御ステップを含む
ことを特徴とする画像記憶方法。
【発明の詳細な説明】
【技術分野】
【０００１】
本発明は、画像表示装置、画像記憶方法並びにプログラムに関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方ができるようにするため、いわゆるデジタルフォトフレームが実現され普及している。このようなデジタルフォトフレームでは、撮影した写真を再生して好きなときに鑑賞したり、スライドショー表示したり、画像データを保存するアルバム端末として使用することができる。
【０００４】
そして、ネットワークに接続し、メールの送受信も可能なデジタルフォトフレームも提案されている（例えば、特許文献１）。
【０００５】
また、複数人に閲覧可能とし、複数の閲覧者の情報を登録しておき、閲覧する人に応じて表示のさせ方等を変えるものも提案されている（例えば、特許文献２）。
【０００６】
他方、メモリカードの容量が大きくなり、価格も安くなってきているために、家族が複数のデジタルカメラで複数のメモリカードに写真を撮りためたまま、メモリカードの整理がつかなくなっているケースが増えている。どのメモリカードに誰が何の写真を撮ったか分からなくなると、いちいちカメラやデジタルフォトフレームで再生して確認してから、改めてパソコンなどにフォルダ分けをして整理した上で保存しなければならなかった。
【０００７】
そこで家庭用のアルバム端末のようなものがあって、家族が何も考えずにメモリカードを挿入するだけで各人それぞれのアルバムとして写真が整理されて保存できると便利であるという要望があった。
【先行技術文献】
【特許文献】
【０００８】
【特許文献１】特開２０１０−６１２４６号公報
【特許文献２】特開２０１０−８６９１４号公報
【発明の概要】
【発明が解決しようとする課題】
【０００９】
上記したように色々な機能を有したデジタルフォトフレームが提案されているが、家族など複数の人が何も考えずにメモリカードを挿入するだけで各人それぞれのアルバムとして写真が整理され保存されると便利であるという要望に答えられるものはなかった。
【００１０】
本発明は、上記のような事情に鑑みなされたもので、家族など複数の人が何も考えずにメモリカードを挿入するだけで各人それぞれのアルバムとして写真が整理され保存できる家庭用アルバム端末のような画像表示装置、画像記憶方法並びにプログラムを提供することを目的とする。
【課題を解決するための手段】
【００１１】
前記課題を解決するため、請求項１記載の発明では、画像表示手段と画像記憶手段を有し、ネットワークに接続可能な画像表示装置であって、撮像手段により撮像した画像から顔画像を認識する認識手段と、前記認識手段により認識すべき顔画像を登録する顔画像登録手段と、メール送受信手段と、前記画像記憶手段内に、前記認識手段で認識した顔画像に対応するフォルダを作成するフォルダ作成手段と、前記メール送受信手段のアドレス帳にアドレスと前記認識すべき顔画像とを対応づけて登録するアドレス帳登録手段と、前記アドレスと前記顔画像に対応するフォルダを対応づける対応づけ手段と、画像を前記フォルダに格納する格納手段と、前記フォルダに格納されている画像を再生する再生手段と、を具備し、前記格納手段は、操作者が画像を前記画像記憶手段に記憶させる操作を行うとき、前記認識手段により該操作者の顔画像を認識し、当該操作者の顔画像に対応するフォルダに画像を格納する第１の格納手段と、前記メール送受信手段によりメールで受信した画像を、前記アドレス帳を参照して、受信したアドレスと対応づけられているフォルダに格納する第２の格納手段とを含み、前記再生手段は、操作者が画像を表示させる操作を行うとき、前記認識手段により該操作者の顔画像を認識し、認識した顔画像に対応するフォルダに格納されている画像を再生可能とする表示制御手段を含むことを特徴とする画像表示装置を提供するものである。
【００１２】
また、請求項２記載の発明では、請求項１記載の画像表示装置であって、複数種類のメモリ媒体を着脱可能であり、前記格納手段は、操作者が前記メモリ媒体から画像を記憶させる操作を行うとき、前記認識手段により該操作者の顔画像を認識し、当該操作者の顔画像に対応するフォルダに前記メモリ媒体から画像を格納する第３の格納手段を含み、前記フォルダ作成手段は、前記メモリ媒体の種類に応じたサブフォルダを作成するサブフォルダ作成手段を含むことを特徴とする画像表示装置を提供するものである。
【００１３】
また、請求項３記載の発明では、画像表示手段、画像記憶手段、撮像手段を有し、ネットワークに接続可能な画像表示装置のコンピュータを、前記撮像手段により撮像した画像から顔画像を認識する認識手段と、前記認識手段により認識すべき顔画像を登録する顔画像登録手段と、メール送受信手段と、前記画像記憶手段内に、前記認識手段で認識した顔画像に対応するフォルダを作成するフォルダ作成手段と、前記メール送受信手段のアドレス帳にアドレスと前記認識すべき顔画像とを対応づけて登録するアドレス帳登録手段と、前記アドレスと前記顔画像に対応するフォルダを対応づける対応づけ手段と、画像を前記フォルダに格納する格納手段と、前記フォルダに格納されている画像を再生する再生手段と、して機能させ、前記格納手段は、操作者が画像を前記画像記憶手段に記憶させる操作を行うとき、前記認識手段により該操作者の顔画像を認識し、当該操作者の顔画像に対応するフォルダに画像を格納する第１の格納手段と、前記メール送受信手段によりメールで受信した画像を、前記アドレス帳を参照して、受信したアドレスと対応づけられているフォルダに格納する第２の格納手段とを含み、前記再生手段は、操作者が画像を表示させる操作を行うとき、前記認識手段により該操作者の顔画像を認識し、認識した顔画像に対応するフォルダに格納されている画像を再生可能とする表示制御手段を含むことを特徴とするプログラムを提供するものである。
【００１４】
また、請求項４記載の発明では、画像表示手段、画像記憶手段、撮像手段を有し、ネットワークに接続可能な画像表示装置のコンピュータが、前記撮像手段により撮像した画像から顔画像を認識する認識ステップと、前記認識ステップにより認識すべき顔画像を登録する顔画像登録ステップと、メール送受信ステップと、前記画像記憶手段内に、前記認識ステップで認識した顔画像に対応するフォルダを作成するフォルダ作成ステップと、前記メール送受信ステップのアドレス帳にアドレスと前記認識すべき顔画像とを対応づけて登録するアドレス帳登録ステップと、前記アドレスと前記顔画像に対応するフォルダを対応づける対応づけステップと、画像を前記フォルダに格納する格納ステップと、前記フォルダに格納されている画像を再生する再生ステップと、を実行し、前記格納ステップは、操作者が画像を前記画像記憶手段に記憶させる操作を行うとき、前記認識ステップにより該操作者の顔画像を認識し、当該操作者の顔画像に対応するフォルダに画像を格納する第１の格納ステップと、前記メール送受信ステップによりメールで受信した画像を、前記アドレス帳を参照して、受信したアドレスと対応づけられているフォルダに格納する第２の格納ステップとを含み、前記再生ステップは、操作者が画像を表示させる操作を行うとき、前記認識ステップにより該操作者の顔画像を認識し、認識した顔画像に対応するフォルダに格納されている画像を再生可能とする表示制御ステップを含むことを特徴とする画像記憶方法を提供するものである。
【発明の効果】
【００１９】
本発明による画像表示装置においては、複数の人がメモリカードを挿入するなどの方法により画像（写真）を入力すると、自動的に各人それぞれのアルバムとして写真が整理され保存できる。
従って各人が適当に写真を貯めていくことにより、あたかも自分専用のアルバム端末であるかのように大量の写真でも自動的に整理されていく。しかも認識手段により個人を識別してくれるので面倒な作業が不要である。
さらに、メール添付によって写真を受信したときは、その受信アドレスに対応する人のフォルダへ自動的に登録されるので、複数の人の写真が蓄積されていき、フォルダ仕分けやプライバシーの保護が簡単にでき、１つの装置でも家族各人が自分専用のアルバム端末として安心して利用することができる。
【図面の簡単な説明】
【００２０】
【図１】本発明の実施形態に係る画像表示装置の外観を示す図である。
【図２】本発明の実施形態に係る画像表示装置の回路構成を示すブロック図である。
【図３】本発明の実施の形態に係る画像表示装置の画像ファイル構成を示す図である。
【図４】本発明の実施の形態に係る画像表示装置のフォルダ構成を示す図である。
【図５】本発明の実施の形態に係る画像表示装置のアドレス帳の構成を示す図である。
【図６】本発明の実施の形態に係る初期設定の処理手順を示すフローチャートである。
【図７】本発明の実施の形態に係る画像保存の処理手順を示すフローチャートである。
【図８】本発明の実施の形態に係る画像メール受信の処理手順を示すフローチャートである。
【図９】本発明の実施の形態に係る画像再生の処理手順を示すフローチャートである。
【図１０】本発明の実施の形態に係るスライドショー表示の処理手順を示すフローチャートである。
【図１１】本発明の第２の実施の形態に係るフォルダ構成を示す図である。
【発明を実施するための形態】
【００２１】
本実施の形態による画像表示装置はメール送受信機能を備え、写真の送受信ができる。複数の使用者はそれぞれ異なったメールアドレスを設定する。更に撮像手段と認識手段を有し、個人の識別、例えば顔認識のために予め複数の使用者の顔を登録しておく。そして初期登録の際にメールアドレスと関連づけ、アドレス帳に顔写真が登録される。
メモリカードをデジタルフォトフレームに挿入して写真を保存する時は、使用者を顔認識して使用者ごとに、すなわちメールアドレスごとに自動的にフォルダ分けして写真が保存される。ネットから写真をダウンロードする場合も、ダウンロード操作をしている人の顔を認識して自動的にその人のフォルダに保存される。もちろん、共用フォルダを設けておいても良い。メール添付によって写真を受信したときは、その受信アドレスに対応する人のフォルダへ自動的に登録される。複数の人の写真が大量に蓄積されていくので、サーバーに接続し、定期的に若しくは手動指示によりバックアップを取る。
これにより、フォルダ仕分けやプライバシーの保護が簡単にでき、１つの装置でも家族各人が自分専用のアルバム端末として安心して利用することができる。
【００２２】
以下、本発明の実施形態について説明する。図１は、本発明を適用した画像表示装置１を示す外観図である。画像表示装置１の正面には、本体２に保持された液晶表示パネル３によって構成される表示部が設けられている。この液晶表示パネル３にはタッチパネル５が一体的に構成されており、指でタッチすることにより操作可能となっている。本体２の前面上部左側には撮像素子８が設けられ、側面にはメモリカードスロット６が設けられている。更に、本体上部にＧＰＳアンテナ７，全面上部右側に人感センサ４が設けられている。
【００２３】
図２は、画像表示装置１の電気的構成を示したブロック図である。画像表示装置１は、ＣＰＵ（Central Processing Unit）１１と、ＣＰＵ１１に接続されたＲＯＭ（Read Only Memory）１２、ＲＡＭ（Random Access memory）１３、内部メモリ１４を備え、ＲＯＭ１２には、ＣＰＵ１１に後述するフローチャートに示す動作を行わせるためのプログラムが記憶されている。また、ＣＰＵ１１は、前記撮像素子８で撮像した顔を認識処理するための顔認識エンジン１００と、写真画像を絵画調の画像に変換する絵画変換エンジン２００を含んでいる。顔認識エンジン１００は、写真の中に複数の顔が写っている場合、それぞれの顔を認識する能力を備えている。顔認識方式は本発明の趣旨ではないので説明は省略するが、十分実現可能な技術である。絵画変換エンジン２００は例えば特開平８−４４８６７号公報、特開２００４−２１３５９８号公報などに開示されているような絵画変換処理を行うものである。
【００２４】
ＲＡＭ１３は、ＣＰＵ１１が必要に応じて種々のデータを一時的に記憶する作業用のメモリである。
内部メモリ１４は、ハードディスクまたはフラッシュメモリによる大容量不揮発性メモリであり、後述するフォルダが形成されて多数の画像を保存可能となっている。
表示制御部１６は、ＣＰＵ１１から供給される表示用の画像データに基づいて液晶表示パネル３を駆動することにより、画像や各種メニューを液晶表示パネル３に表示させる。
キー入力部制御部１７はＣＰＵ１１の制御に基づいてタッチパネル５の操作信号を入力するものである。
メモリカードインターフェース１８は、メモリカードスロット６に着脱自在に装着された各種のメモリカード６０と、ＣＰＵ１１との間におけるデータの入出力を制御する入出力インターフェースである。
【００２５】
撮像制御部１９は、撮像素子８を駆動して被写体の画像を取り込む制御を行う。ベイヤーデータで取り込まれた画像データはＹＵＶ及びＲＧＢデータに変換後、ＪＰＥＧデータに圧縮して内部メモリ１４またはメモリカード６０に記録される。
ＧＰＳ制御部２０は、ＧＰＳアンテナ７で受信した情報を元に位置情報を取得する。これにより、画像表示装置１の現在位置を知ることができる。
【００２６】
人感センサ４はＣＰＵ１１に接続され、近くに人がいるかどうかを検知するものである。従って、近くに人がいない状態が所定時間以上続くと自動的に電源を切って節電をはかる（オートパワーオフ）。
【００２７】
通信制御部３０は、電話回線３１若しくは無線ＬＡＮ３２を経由してメールの送受信を含む通信制御を行う。
３３はメール送受信に使用するアドレス帳である。実際は内部メモリ１４内に設けられる。
【００２８】
４０はネットワークを介して接続されるバックアップサーバーであり、自動的に若しくは手動指示により内部メモリ１４に記録されたデータのバックアップを行う。
５０は配信コンテンツサーバーであり、多数のコンテンツや画像を有しており、ネットワークを介して画像表示装置１へデータを配信することができる。
７０はパーソナルコンピュータであり、無線ＬＡＮ３２等で通信制御部３０を介して画像表示装置１と接続でき、画像表示装置１では設定できない複雑な設定等をすることができる。
【００２９】
８０は電源制御部で、電源プラグ３１を介してＡＣ電源を取り入れ、直流に変換して各部に電力を供給する。前述したオートパワーオフの制御も行う。
【００３０】
図３は、メモリカード６０に記憶されている画像ファイルの構造を示す構成図である。各画像ファイルは、ＥＸＩＦ（Exchangeable Image File Format）などのデータを有するヘッダＧ１と、撮影された画像であり本画像である画像データＧ２と、その画像データＧ２の縮小画像であるサムネイルＧ３の画像データを含む。なお、表示画面の大きさにより画面に表示すべき縮小画像の大きさが異なるため、サムネイルとは別に表示用のプレビュー画像を作成して記憶しておく場合もある。本実施の形態では、プレビュー画像も含めてサムネイルと表現している。
【００３１】
つまり、画像ファイルは、一般的なデジタルカメラのファイルフォーマットに準拠し、デジタルカメラで撮像したＳＤカード（メモリカード６０）をメモリカードスロット６に差し込むだけで使用できるようになっている。画像ファイルのフォーマットとしては、ＪＰＥＧ、ＧＩＦ、ＡＶＩなど種々のフォーマットに適宜対応可能である。
【００３２】
以下は本実施の態様特有のデータである。まずＧ４は、顔認識により、誰が画像の保存操作を行った画像かを示す個人識別コードである。例えばお父さんであれば“1001”、お母さんであれば“1002”のように個人別に識別コードが割り振られる。Ｇ５は、更に仕事用、プライベート用などに分類した分類コードである。例えば仕事用であれば“01”、プライベート用であれば“02”、旅行用であれば“03”の分類コードが記録される。この分類は自分の画像について自由に分類分けを行うことができる。Ｇ６はその画像をシークレット設定するかどうかを示すシークレットフラグであり、シークレット設定は“1”、そうでない場合は“0”とする。Ｇ７は閲覧者コードであり、画像を表示している際に撮像素子８で撮像した閲覧者を顔認識して既に登録されている人であれば誰であるかを判別し、登録されていない新規な人であれば新たに閲覧者コードを発行して記録していく。Ｇ８は前記閲覧者別の閲覧回数を記憶する。Ｇ７とＧ８は便宜上別々に示しているが、閲覧者コードと閲覧回数をセットで記憶していくものである。すなわち、この画像をＡさんが２回見ていれば、Ａさんの閲覧者コード“1101”＊２、Ｂさんが３回見ていれば、Ｂさんの閲覧者コード“1052”＊３、ということになる。
【００３３】
図４は、内部メモリ１４内のフォルダ構成を示す図である。本実施の態様では、画像認識により識別された個人ごとのフォルダが作成される。図３に１つの画像ファイルの構成を示したが、基本的にはこの画像ファイルの個人識別コードＧ７ごとにファイルを形成する。例えばお父さんの識別コード“1001”に対応するフォルダＦ１、お母さんの識別コード“1002”に対応するフォルダＦ２、・・・のようになる。また、個人のフォルダ内に、画像ファイルの分類コードＧ５に応じて、あるいはシークレットフラグをつけたものについてサブフォルダＳＦを形成する。例えば仕事用サブフォルダＳＦ１、プライベート用サブフォルダＳＦ２、シークレットフラグを立てたサブフォルダＳＦ３、メールで受信した画像用のサブフォルダＳＦ４が形成される。なおこれらのフォルダ形状は論理フォルダであって物理的にメモリエリアが区分けされているわけではない。
【００３４】
図５は内部メモリ１４内に構成されるアドレス帳３３の構成を示す図である。３３１はプロファイルと呼ばれる保有者のメールアドレス情報を記憶するエリアであり、３３２は送受信する相手先のメールアドレス情報を記憶するエリアである。
Ｍ２はメールアドレスそのものが記録されるエリアであり、Ｍ１は該当メールアドレスの保有者の名前が記録されるエリアである。名前は自由に付けることができる。Ｍ３は該当メールアドレスの個人の顔画像を登録するエリアである。Ｍ４は上述した個人識別コードが記録されるエリアである。Ｍ５はその他の各種情報、例えば住所、着信拒否、・・・が必要に応じて適宜記録されるエリアである。
【００３５】
以下、本実施の形態の画像表示装置１の具体的な動作についてフローチャートを参照しながら説明する。説明を分かりやすくするためにフローチャートは操作者の操作手順に沿った表現となっているが、これに伴って回路やデータの動きについて説明をしていく。
【００３６】
図６は画像表示装置１の初期設定の際に、自分の顔と自分のメールアドレスとを対応づけて登録するための手順を示す。まず、自分のメールアドレスを設定する（ステップＳ１）。これは基本的にはパーソナルコンピュータや携帯端末などのアドレス初期設定と同様である。画像表示装置１をネット環境に接続することにより、例えば配信コンテンツサーバー５０と接続し、本体固有のメールアドレスを取得する。取得したメールアドレスは、無線ＬＡＮ３２等で接続されたパーソナルコンピュータ７０からの操作により任意のメールアドレスに変更できる。
【００３７】
撮像素子８は電源オン中、ほぼ常時撮像をしているが、操作者が自分のメールアドレスが液晶表示パネル３に表示されている状態で（ステップＳ２）、液晶表示パネル３に表示される顔登録ボタンをタッチパネル５でタッチすると（ステップＳ３）、ＣＰＵ１１は顔認識エンジン１００により操作者の顔を認識し、操作者の顔がアドレス帳３３に登録される（ステップＳ４）。
【００３８】
図７はＳＤカードなどのメモリカード６０をメモリカードスロット６に差し込んでメモリカード６０に記憶されている画像を画像表示装置１の内部メモリ１４に画像を保存する際の手順を示す。まず、メモリカード６０をメモリカードスロット６に挿入する（ステップＳ１１）。そのとき撮像素子８は操作者を撮影しているので、ＣＰＵ１１は顔認識エンジン１００を用いて顔認識を行う（ステップＳ１２）。
【００３９】
ステップＳ１３では、顔認識した結果、個人識別コードが登録されているかどうかを判断する。すなわち、図４に示したように、個人識別コードに対応してフォルダが構成されているので、認識した人のフォルダが存在しているかどうかを判断することになる。例えば操作している人が識別コード“1001”のお父さんであれば、フォルダＦ１を選択し（ステップＳ１４）、存在していない新しい人であれば、新たに識別コードを発行し、顔を登録し、フォルダを作成する（ステップＳ１５）。登録されていない人の画像保存はできないようにしてもよい。
【００４０】
ここで液晶表示パネル３に表示されている保存ボタンをタッチキー５を介して押すと（ステップＳ１６）、メモリカード６０に記録されている画像が該当するフォルダにコピーされる。
すなわち、操作者は特に意識することなく、自分のフォルダに画像を保存することができる。その後、適宜メニューに従ってフォルダ内での分類によるサブフォルダ作成やシークレットフラグの設定を行うことができる。
【００４１】
図８はメールを受信したときの手順を示す。画像表示装置１に自己のメールアドレスが設定されていなければそもそもメールを受信できないが、設定されている場合は、例えばお父さんのメールアドレス（father@***.**.jp）で受信したとすると（ステップＳ２１）、受信したメールアドレスに対応するフォルダが存在しているかを判断する（ステップＳ２１）。お父さんのメールアドレスに対応するフォルダＦ１が存在しているので、ステップＳ２３へ進んでフォルダＦ１にメールが保存されるとともに、画像が添付されている場合にはその画像を画像メール用サブフォルダＳＦ４に保存する。また、ステップＳ２２にて対応するフォルダが存在しないと判断された場合は、共用フォルダＦ６に保存する（ステップＳ２４）。
【００４２】
図９は再生動作について説明するものである。再生には、内部メモリ１４に記憶された画像を再生する場合、挿入されたメモリカード６０に記憶された画像を再生する場合、１枚だけ再生する場合、スライドショー再生をする場合などがある。
【００４３】
操作者が画像を再生しようとして画像表示装置１の前に来ると、撮像素子８が撮像しているので、ＣＰＵ１１と顔認識エンジン１００が協働して操作者の顔を認識し（ステップＳ３１）、再生操作に入ったとき（ステップＳ３２）、認識した顔の人が登録されているかどうかを判断する（ステップＳ３３）。顔が登録されていれば、画像表示装置の保有者であると推定できるので、ステップＳ３４に進み、対応するフォルダ、例えば認識されたのがお父さんであれば、お父さんフォルダＦ１に保存されている画像と共用フォルダＦ６に保存されている画像再生可能にする。他の人のフォルダ、例えばお母さんフォルダＦ２、妹フォルダＦ４などは勝手に再生できない。そしてステップＳ３６へ進み、所定の再生操作を行う。
【００４４】
ただし、顔認識エンジン１００は画像に写っている複数の人の顔を認識可能なので、お父さんと一緒にお母さんも写っていれば、お母さんフォルダＦ２の内容も再生可能となる。
なお、複数の人の顔が認識され、登録されている人とされていない人が混在している場合の制御については後述する。
【００４５】
図１０は再生動作の中のスライドショー再生の手順を示す図である。図９のステップＳ３１に相当する再生操作を行ったとき（ステップＳ４１）、それがスライドショー再生かどうかを判断する（ステップＳ４２）。もしスライドショー再生でなければ他の処理へ進み、スライドショー再生であればステップＳ４３へ進む。
【００４６】
ステップＳ４３では、まず１枚目の画像を読み出す。スライドショー再生としては、特定フォルダ内再生、古い順再生または新しい順再生、ランダム再生などがある。続くステップＳ４３では、現在見ている人の顔認識を行う。そしてステップＳ４５で認識された顔が前に閲覧した人の顔かどうかを判断する。図３に示すように、画像ごとに閲覧者コードＧ７が用意されており、一度閲覧すると閲覧者コードＧ７と閲覧回数Ｇ８が組になって登録されている。そこで、ステップＳ４５では、この画像は今の閲覧者が前に見たことがあると判断すると、ステップＳ４６へ進んでその画像はスキップする。見たことがない画像であれば、ステップＳ４７でその画像の表示を行うとともに、ステップＳ４８で閲覧者コードを発行し、顔画像の登録と閲覧回数の加算を行う。
【００４７】
次に、ステップＳ４９でインタラプトが無いかどうか判断する。すなわち、画像を表示中に、現在見ている人が変わった場合、あるいは新たな人が加わった場合の処理である。本実施の形態では、表示する画像を選択する前に顔認識を行っているが、スライドショーは数秒間同じ画像を表示し続けているので、当然その間に人がいなくなったり増えたり変更したりすることが考えられる。
【００４８】
ここでは、表示中の画像が特定の人、あるいは所有者以外には見られては相応しくない場合の対策を想定する。例えば家族以外の人の顔を検出したとき、ステップＳ５０へ進み、表示を停止させるか、別の画像を読み出して差し替える。差し替え用の特定の画像を用意しておいても良い。このインタラプト処理は便宜上、フローチャートのこの位置に表現したが、インタラプト信号によりいつでも受け付けるようにすることもできる。
【００４９】
また、シークレットフラグを立てたサブフォルダＳＦ３から読み出された画像を表示中に、その保有者以外の新たな人が加わった場合も、ステップＳ５０へ進み、表示を停止させるか、別の画像を読み出して差し替える。
そしてステップＳ５１で終了指示がなければステップＳ４３に戻って次の画像を読み出す。
【００５０】
すなわち、本実施の形態においては、スライドショーを表示する際、長時間になると同じ画像の繰り返しとなってくるので、見飽きてくる可能性があり、閲覧者を顔認識することによってまだ見ていない画像を表示するようにしている。
【００５１】
なお、フローチャートには詳細まで記載していないが、閲覧者が複数の場合は、誰も見ていない画像＞見たことがない人が混じっている＞全員が見たことがある、の順で優先順位付けを行う。つまり、誰も見ていない画像を第１優先、見たことがない人が混じっている画像を第２優先、全員が見たことがある画像を第３優先として類別する。
そして、先ず第１優先に属する画像をスライドショー表示し、第１優先に属する画像を全て表示し終えたならば、第２優先に属する画像をスライドショー表示する。第２優先に属する画像を全て表示し終えたならば、第３優先に属する画像をスライドショー表示し、第３優先に属する画像を全て表示し終えたならば、第１優先に属する画像からのスライドショー表示を再度実行する。
無論、上記は、ある瞬間における閲覧者の数、または構成員が変化しない状態での動作であり、閲覧者の数、または構成員が変化する都度、新たに前記第１、第２、第３優先の類別は変化することとなる。
【００５２】
更に、シークレットフラグがついている画像は最初から表示対象としない。顔認識によりその画像の保有者本人であると認識されたときのみ表示しても良く、その際はステップＳ４９により他人の顔が検出された瞬間、ステップＳ５０で表示停止とする。
【００５３】
第２の実施の形態
図１１は第２の実施の形態を示すものである。第１の実施の形態においては、図４に示すように、個人識別コードによる保有者別のフォルダを形成した。これに対し、本実施の形態では、複数のメモリカードを丸ごと内部メモリ１４に保存する例を示す。
【００５４】
現在、カメラのＳＤカードや携帯電話のミニＳＤカード、マイクロＳＤカード等を何枚もそのまま保管していて、どれがどれだか分からなくなってしまうケースも多い。複数のカメラで複数のＳＤカードを使用した場合も、どのＳＤカードをどのカメラでいつ撮影して何が記録されているかがわからなくなってしまうケースもある。
【００５５】
そこで、図７のフローで示したと同様、何も考えないでメモリカード６０を画像表示装置１に差し込むだけで、例えばＡ社のＳＤカード（１）Ｆ１１、Ａ社のＳＤカード（２）Ｆ１２，Ｂ社のＳＤカード（１）Ｆ１３、携帯電話のマイクロＳＤカードＦ１４、・・・のようにフォルダ分けされる。Ａ社、Ｂ社と言っているのはカメラ又は携帯のメーカー名である。もちろん、顔認識により個人識別コードをつけて、保有者は明確になっている。すなわち、ＳＤカード（１）を挿入したのがお父さんであれば、フォルダＦ１１の保有者はお父さんである。
【００５６】
つまり、第１の実施の形態と同様、何も考えずにメモリカード６０を画像表示装置１に挿入して画像を保存していけば、カード別のフォルダが自動的にできるので、家庭用アルバム端末として好適である。
【００５７】
なお、図１１において下段のフォルダは、画像を何らかの形で加工したものが記憶される。例えばＦ１５は絵画変換した画像、Ｆ１６はシークレットフラグを設定した画像、Ｆ１７は修正加工を行った画像、そしてＦ１８お気に入り画像のフォルダが形成される。
この実施の形態においても、顔認識によって誰が挿入したメモリカードかが分かるので、図４における個人別フォルダの中にこれらのフォルダをサブフォルダとして設けても良い。
【００５８】
なお、上記各実施の形態において、メモリカードとしてＳＤカードを例にとって説明したが、メモリ媒体であればカード形状である必要はなく、ＵＳＢでハードディスクドライブを接続し、そこに記憶されている画像を取り込むようにしてもよい。
【符号の説明】
【００５９】
１    画像表示装置
２    本体
３    液晶表示パネル
４    人感センサ
５    タッチパネル
６    メモリカードスロット
７    ＧＰＳアンテナ
８    撮像素子
１１    ＣＰＵ
１２    ＲＯＭ
１３    ＲＡＭ
１４    内部メモリ
１６    表示制御部
１７    キー入力制御部
１８    メモリカードインターフェース
１９    撮像制御部
２０    ＧＰＳ制御部
３０    通信制御部
３３    アドレス帳
４０    バックアップサーバー
５０    配信コンテンツサーバー
６０    メモリカード
１００    顔認識エンジン
２００    絵画変換エンジン
【図１】
0005618059.tif 000002
【図２】
0005618059.tif 000003
【図３】
0005618059.tif 000004
【図４】
0005618059.tif 000005
【図５】
0005618059.tif 000006
【図６】
0005618059.tif 000007
【図７】
0005618059.tif 000008
【図８】
0005618059.tif 000009
【図９】
0005618059.tif 000010
【図１０】
0005618059.tif 000011
【図１１】
0005618059.tif 000012